(57)【要約】【課題】患者に対する説明を効率的に行うのを支援する患者説明支援装置を提供すること。【解決手段】実施形態に係る患者説明支援装置は、特定部と、通知部とを備える。特定部は、検査結果の理解のし易さを表す情報に基づいて、同じ症例を説明する複数の検査結果情報の中から、他の検査結果情報と比較して患者への説明に要する時間が短くなる検査結果情報を特定する。通知部は、前記特定部が特定した検査結果情報を、表示部に通知する。【選択図】図１
2017187896.tif 000002
【特許請求の範囲】
【請求項１】
検査結果の理解のし易さを表す情報に基づいて、同じ症例を説明する複数の検査結果情報の中から、他の検査結果情報と比較して患者への説明に要する時間が短くなる検査結果情報を特定する特定部と、
前記特定部が特定した検査結果情報を、表示部に通知する通知部とを備える、
患者説明支援装置。
【請求項２】
前記複数の検査結果情報それぞれに対して、患者に検査結果を説明するのに必要と推定される時間である第１の時間を算出する第１算出部と、
前記第１算出部が算出した前記第１の時間に対して、検査結果情報の理解のし易さを表す情報に基づいて補正を行って第２の時間を算出する第２算出部とを更に備え、
前記通知部は、前記第２算出部が算出した前記第２の時間を、前記表示部に通知する、
請求項１に記載の患者説明支援装置。
【請求項３】
前記第２算出部が算出した前記第２の時間に対して、説明を行う対象の患者の状態を表す情報に基づいて補正を行って第３の時間を算出する第３算出部を更に備え、
前記通知部は、前記第３算出部が算出した前記第３の時間を、前記表示部に通知する、
請求項２に記載の患者説明支援装置。
【請求項４】
前記患者の状態を表す情報は、患者の年齢、病歴、病気の進行度、治療段階、治療方針、付添人の有無のうち少なくとも一つを含む情報である、
請求項３に記載の患者説明支援装置。
【請求項５】
前記通知部は、前記特定部が特定した前記検査結果情報を、前記第２算出部が算出した前記第２の時間の長さに応じてマークアップをして前記表示部に通知する、
請求項２に記載の患者説明支援装置。
【請求項６】
前記通知部は、前記特定部が特定した検査結果情報のうち、患者への説明に要する時間が短い検査結果情報のハイパーリンクの色を変更して前記表示部に通知する、
請求項５に記載の患者説明支援装置。
【請求項７】
前記第１算出部は、前記複数の検査結果情報それぞれに対して、検査結果の重要度を表す第１の情報を更に算出し、
前記通知部は、前記第１算出部が算出した前記第１の情報を、前記表示部に通知する、
請求項２に記載の患者説明支援装置。
【請求項８】
前記通知部は、前記特定部が特定した前記検査結果情報と、前記第１算出部が算出した前記第１の情報と、前記第２算出部が算出した前記第２の時間とを、前記表示部に一覧表示させる、
請求項７に記載の患者説明支援装置。
【請求項９】
前記特定部は、患者への説明に使用可能な時間の上限値に基づいて、前記複数の検査結果情報の中から、患者への説明を割愛する検査結果情報を更に特定し、
前記通知部は、前記割愛する検査結果情報に対するハイパーリンクをオフにして前記表示部に表示させる、
請求項２に記載の患者説明支援装置。
【請求項１０】
所定の症例に関連した検査結果情報を患者へ説明するのに要する時間の積算値を算出する第４算出部を更に備え、
前記通知部は、前記第４算出部が算出した積算値を、前記表示部に通知する、
請求項１に記載の患者説明支援装置。
【請求項１１】
前記通知部は、前記第１の情報に基づいてソートを行って、前記特定部が特定した前記検査結果情報と、前記第１算出部が算出した前記第１の情報と、前記第２算出部が算出した前記第２の時間とを、前記表示部に一覧表示させる、
請求項８に記載の患者説明支援装置。
【請求項１２】
前記通知部は、患者への説明を実施するにあたっての注意点を前記表示部に更に表示させる、
請求項８に記載の患者説明支援装置。
【発明の詳細な説明】
【技術分野】
【０００１】
本発明の実施形態は、患者説明支援装置に関する。
【背景技術】
【０００２】
臨床医が検査結果や治療方針を患者に説明する際、臨床医は、例えば、先立って作成された読影レポートに付随する各検査データや、各種医用画像を基に説明を行う。検査結果や治療方針を患者に説明する時間は通常限られているので、典型的には、臨床医は、患者への説明に利用する検査データや医用画像を、自らの判断に基づいて選別し、選別した検査データや医用画像に基づいて、患者に説明を行う。
【０００３】
しかし、この方法では、検査結果に対する説明の未実施が生じることがある。例えば、臨床医の意識の漏れにより、必要事項を説明し忘れることがある。また、一部の説明を詳細に説明しすぎた結果時間が足りなくなり、必要事項の説明に十分な時間を取れないことがある。また、医療知識が無いとわからない情報に基づく説明をした結果、患者理解の不十分が発生することもある。
【先行技術文献】
【特許文献】
【０００４】
【特許文献１】特開２０１１−２５３２２５号公報
【特許文献２】特開２００９−１８７２５６号公報
【発明の概要】
【発明が解決しようとする課題】
【０００５】
本発明が解決しようとする課題は、患者に対する効率的な説明を支援する患者説明支援装置を提供することである。
【課題を解決するための手段】
【０００６】
実施形態に係る患者説明支援装置は、特定部と、通知部とを備える。特定部は、検査結果の理解のし易さを表す情報に基づいて、同じ症例を説明する複数の検査結果情報の中から、他の検査結果情報と比較して患者への説明に要する時間が短くなる検査結果情報を特定する。通知部は、前記特定部が特定した検査結果情報を、表示部に通知する。
【図面の簡単な説明】
【０００７】
【図１】図１は、実施形態に係る患者説明支援装置を含む全体構成を示すブロック図である。
【図２】図２は、実施形態に係る患者説明支援装置の構成を示すブロック図である。
【図３】図３は、第１の実施形態に係る患者説明支援装置の行う処理について説明した図である。
【図４】図４は、第１の実施形態に係る患者説明支援装置の行う処理について説明した図である。
【図５】図５は、第１の実施形態に係る患者説明支援装置の行う処理の手順を示したフローチャートである。
【図６】図６は、第２の実施形態に係る患者説明支援装置の行う処理について説明した図である。
【図７】図７は、第２の実施形態に係る患者説明支援装置の行う処理について説明した図である。
【図８】図８は、第２の実施形態に係る患者説明支援装置の行う処理について説明した図である。
【図９】図９は、第２の実施形態に係る患者説明支援装置の行う処理について説明した図である。
【図１０】図１０は、第２の実施形態に係る患者説明支援装置の行う処理について説明した図である。
【図１１】図１１は、第２の実施形態に係る患者説明支援装置の行う処理の手順を示したフローチャートである。
【図１２】図１２は、第３の実施形態に係る患者説明支援装置における表示画面の一例について説明した図である。
【図１３】図１３は、第３の実施形態に係る患者説明支援装置の行う処理の手順を示したフローチャートである。
【図１４】図１４は、第４の実施形態に係る患者説明支援装置における表示画面の一例について説明した図である。
【図１５】図１５は、第４の実施形態に係る患者説明支援装置の行う処理の手順を示したフローチャートである。
【図１６】図１６は、第５の実施形態に係る患者説明支援装置における表示画面の一例について説明した図である。
【図１７】図１７は、第５の実施形態に係る患者説明支援装置の行う処理の手順について説明したフローチャートである。
【発明を実施するための形態】
【０００８】
以下、添付図面を用いて、実施形態に係る予約管理装置を詳細に説明する。
【０００９】
（第１の実施形態）
図１を用いて、実施形態に係る患者説明支援装置（医用情報保管装置４００）を含む全体構成について説明する。図１は、実施形態に係る患者説明支援装置を含む全体構成を示すブロック図である。
【００１０】
モダリティ装置１００は、医用現場で使用される各種検査装置である。モダリティ装置１００の具体例としては、例えば、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、Ｘ線装置、超音波診断装置などが挙げられる。生体検査装置２００は、様々な器械を使って、体の機能を直接的に調べる検査であり、例えば内視鏡検査、心電図検査、血圧測定、脳波検査などを行う装置である。なお、必要に応じて、血液検査などの検体検査装置が、ネットワークに接続されて後述の医用情報保管装置４００と通信を行ってもよい。
【００１１】
医用画像再構成装置３００は、例えばモダリティ装置１００による撮影や撮像を行って得られたデータを基に、医用画像を再構成する装置である。医用画像再構成装置３００は、例えば、ＭＲＩ装置による撮像や、Ｘ線ＣＴ装置による撮影によって得られたデータに基づいて、医用画像を生成する。また、例えば、一例として、医用画像再構成装置３００は、各スライスのＸ線ＣＴ画像から、３Ｄデータを再構成する。
【００１２】
医用情報保管装置（患者説明支援装置）４００は、モダリティ装置１００、生体検査装置２００、医用画像再構成装置３００が生成した様々な医用データを保存し、また、後述するように、患者説明支援装置として機能する装置である。医用情報保管装置４００の詳しい構成について後述する。医用情報参照装置５００は、ユーザが医用画像を参照するための装置である。医用情報参照装置５００は、例えば、ユーザである読影医が読影レポート作成のために利用する端末装置である。
【００１３】
モダリティ装置１００、生体検査装置２００、医用画像再構成装置３００、医用情報保管装置４００、医用情報参照装置５００は、例えば、ネットワークを通じて互いに通信可能に接続されている。
【００１４】
図２を用いて、患者説明支援装置としての医用情報保管装置４００についてより詳細に説明する。図２は、実施形態に係る患者説明支援装置の構成を示すブロック図である。
【００１５】
医用情報保管装置４００は、処理回路１５０、記憶回路１３２、入力装置１３４、表示装置（ディスプレイ）１３５を備える。また、処理回路１５０は、第１の実施形態においては、特定機能１５０ａ、通知機能１５０ｂを有する。また、処理回路１５０は、第２の実施形態において、特定機能１５０ａ、通知機能１５０ｂに加えて、第１算出機能１５０ｃ、第２算出機能１５０ｄ、第３算出機能１５０ｅを有する。また、記憶回路１３２は、患者情報保管機能１３２ａ、マスタ情報保管機能１３２ｂ、補足情報保管機能１３２ｃを有する。
【００１６】
ここで、特定機能１５０ａは、同じ症例を説明する複数の検査結果情報の中から、所定の検査結果情報を特定する機能である。通知機能１５０ｂは、検査結果情報等を、表示部（例えば表示装置１３５や、外部の表示装置）に通知する通知する機能である。第１算出機能１５０ｃ、第２算出機能１５０ｄ、第３算出機能１５０ｅは、患者への説明に要する時間や、検査結果の重要度等を算出する機能である。これらの機能の詳細な説明については後述する。
【００１７】
特定機能１５０ａ、通知機能１５０ｂ、第１算出機能１５０ｃ、第２算出機能１５０ｄ、第３算出機能１５０ｅにて行われる各処理機能は、コンピュータによって実行可能なプログラムの形態で記憶回路１３２へ記憶されている。処理回路１２０はプログラムを記憶回路１３２から読み出し、実行することで各プログラムに対応する機能を実現するプロセッサである。換言すると、各プログラムを読みだした状態の処理回路１５０は、図２の処理回路１５０内に示された各機能を有することになる。なお、図２においては単一の処理回路１５０にて、特定機能１５０ａ、通知機能１５０ｂ、第１算出機能１５０ｃ、第２算出機能１５０ｄ、第３算出機能１５０ｅにて行われる処理機能が実現されるものとして説明したが、複数の独立したプロセッサを組み合わせて処理回路１５０を構成し、各プロセッサがプログラムを実行することにより機能を実現するものとしても構わない。
【００１８】
換言すると、上述のそれぞれの機能がプログラムとして構成され、１つの処理回路が各プログラムを実行する場合であってもよいし、特定の機能が専用の独立したプログラム実行回路に実装される場合であってもよい。なお、処理回路１５０の有する特定機能１５０ａ、通知機能１５０ｂ、第１算出機能１５０ｃ、第２算出機能１５０ｄ、第３算出機能１５０ｅは、それぞれ特定部、通知部、第１算出部、第２算出部、第３算出部の一例である。
【００１９】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃａｌ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサは記憶回路１３２に保存されたプログラムを読み出し実行することで機能を実現する。なお、記憶回路１３２にプログラムを保存する代わりに、プロセッサの回路内にプログラムを直接組み込むよう構成しても構わない。この場合、プロセッサは回路内に組み込まれたプログラムを読み出し実行することで機能を実現する。また、記憶回路１３２は、例えば図１に示されているネットワークから取得した患者情報を保管することにより、患者情報保管機能１３２ａを実現する。また、記憶回路１３２は、例えば取得したマスタ情報を保管することにより、マスタ情報保管機能１３２ｂを実現する。また、記憶回路１３２は、例えば取得した捕捉情報を取得することにより、補足情報保管機能１３２ｃを実現する。例えば、記憶回路１３２は、ＲＡＭ（Random  Access  Memory）、フラッシュメモリ等の半導体メモリ素子、ハードディスク、光ディスク等である。
【００２０】
入力装置１３４は、操作者からの各種指示や情報入力を受け付ける。入力装置１３４は、例えば、マウスやトラックボール等のポインティングデバイス、あるいはキーボード等の入力デバイスである。
【００２１】
表示装置１３５は、処理回路１２０による制御のもと、画像データ等の各種の情報を表示する。表示装置１３５、例えば、液晶表示器等の表示デバイスである。
【００２２】
次に、実施形態に係る患者説明支援装置の構成に係る背景について簡単に説明する。
【００２３】
臨床医が検査結果や治療方針を患者に説明する際、臨床医は、例えば、先立って作成された読影レポートに付随する各検査データや、各種医用画像を基に説明を行う。検査結果や治療方針を患者に説明する時間は通常限られているので、典型的には、臨床医は、患者への説明に利用する検査データや医用画像を、自らの判断に基づいて選別し、選別した検査データや医用画像に基づいて、患者に説明を行う。
【００２４】
しかし、この方法では、検査結果に対する説明の未実施が生じることがある。例えば、臨床医の意識の漏れにより、必要事項を説明し忘れることがある。また、一部の説明を詳細に説明しすぎた結果時間が足りなくなり、必要事項の説明に十分な時間を取れないことがある。また、医療知識が無いとわからない情報に基づく説明をした結果、患者理解の不十分が発生することもある。
【００２５】
かかる背景のもと、第１の実施形態において、処理回路１５０は、特定機能１５０ａにより、同じ症例を説明する複数の検査結果情報が複数あった場合、それらの中から、相対的に患者への説明に要する時間が短くなる検査結果情報を特定する。
【００２６】
図３を用いて、「同じ症例を説明する複数の検査結果情報が複数ある場合」について、説明する。図３は、第１の実施形態に係る患者説明支援装置の行う処理について説明した図である。
【００２７】
図３において、それぞれの行は、それぞれ一つの検査結果情報に対応し、症例と、どのようなタイプの医用情報であるかの情報が、セットになってリストとして表示されている。例えば、症例が「冠動脈プラークによる心筋動作異常」であり、医用情報が、「ＣＴスライス画像（胸部・心筋プロトコル）」である一つの検査結果情報が図３に示されている。また、症例が「冠動脈プラークによる心筋動作異常」であり、医用情報が「３Ｄ再構成データ」である一つの検査結果情報が図３に示されている。これら二つの一つの検査結果情報は、症状が「冠動脈プラークによる心筋動作異常」であり共通であるから、同じ症例を説明する複数の検査結果情報に対応する。この例では、「ＣＴスライス画像（胸部・心筋プロトコル）」と、「３Ｄ再構成データ」については、一つのスライスの画像であるか、３次元のボリュームデータであるかという差異はあるものの、基本的には同じＸ線ＣＴ検査のデータであることから、片方の画像について患者に説明すれば、他方の画像については、患者への説明は要しないこともある。
【００２８】
また、ここでいう、「同じ症例を説明する複数の検査結果情報」とは、一つのモダリティで得られた複数の検査結果情報に必ずしも限定されない。例えば、症例が、「胆石による炎症」であり、医用情報が「超音波診断画像（胆嚢部）」である検査結果情報と、症例が、「胆石による炎症」であり、医用情報が「血液検査結果」である検査結果情報とが、同じ症例を説明する複数の検査結果情報であってもよい。
【００２９】
また、ここで、症例「冠動脈プラークによる心筋動作異常」は、例えば、検査結果情報に対する処理を行うのに先立って、例えば、読影レポートを作成する読影医によって決定される。例えば、モダリティ装置１００で撮影が行われ、医用画像再構成装置３００で再構成された医用画像を医用情報参照装置５００を通じて取得した読影医は、医用情報参照装置５００の有する入力デバイスを用いて読影レポートを作成する。この時、読影医は、例えば、症例「冠動脈プラークによる心筋動作異常」を、その判断の基準となった医用画像に対応付ける。
【００３０】
図４に、読影医による読影レポートの作成例が示されている。図４は、第１の実施形態に係る患者説明支援装置の行う処理について説明した図である。
【００３１】
図４全体は、読影医が作成する読影レポート・カルテ文章の一例を示す。ここで、読影レポートとは、典型的には読影医が所定の検査結果に対する所見を記載した文書のことを指し、カルテとは、これに加えて、患者とのやり取りなどその他の付加情報を、典型的には臨床医が読影レポートに加えた文書のことを指す。以下、読影医が読影レポートを作成する場合について説明するが、実施形態はこれに限られず、例えばカルテを作成する場合にも同様に適用できる。
【００３２】
図４において、読影レポート本文１１は、読影レポート本文を表す。例えばモダリティ装置１００で撮影が行われ、医用画像再構成装置３００で再構成された医用画像を医用情報参照装置５００を通じて取得した読影医は、医用情報参照装置５００の有する入力デバイスを用いて読影レポートを作成する。また、下線により修飾され、読影レポート本文とは異なった色で表示されているハイパーリンク１２ａ、ハイパーリンク１２ｂ、ハイパーリンク１２ｃは、読影レポートの記述中の文字列に対して生成されたハイパーリンクを示している。一例として、処理回路１５０は、読影医が作成した読影レポート中の文字列に対して、医用画像に対応して予め定められているキーワードの有無を調べるパターンマッチング処理を行い、マッチする文字列があった場合、読影レポートに対してハイパーリンク１２ａ〜１２ｃを自動的に付与する。また、これらのハイパーリンクは、読影医からの入力を受け付けて手動で生成されてもよい。
【００３３】
また、作成した読影レポートのハイパーリンク１２ａ〜１２ｃを、臨床医等のユーザがクリックすると、処理回路１５０は、ユーザがクリックしたハイパーリンク１２ａ〜１２ｃに対応する医用情報を表示部に表示させる。
【００３４】
図５を用いて、第１の実施形態に係る患者説明支援装置の行う処理の流れについて説明する。図５は、第１の実施形態に係る患者説明支援装置の行う処理の手順を示したフローチャートである。図５においては、例えば、症例が冠動脈プラークによる心筋動作異常である場合を例として説明する。
【００３５】
初めに、モダリティ装置１００、生体検査装置２００、医用画像再構成装置３００は、医用情報を生成する(ステップＳ１００)。例えば、モダリティ装置１００は撮影を行って医用画像である医用情報を生成する。また、例えば医用画像再構成装置３００は、モダリティ装置１００が行った撮影データを基に再構成処理を行い、医用画像である医用情報を生成する。また、生体検査装置２００は、生体検査を行って、生体検査結果として医用情報を生成する。
【００３６】
続いて、医用情報保管装置４００は、ステップＳ１００でモダリティ装置１００、生体検査装置２００、医用画像再構成装置３００が生成した医用情報をネットワークを通じて受信し、受信した医用情報を記憶回路１３２に保管する（ステップＳ１１０）。
【００３７】
ステップＳ１１０において医用情報保管装置４００が受信した医用情報を記憶回路１３２に保管すると、医用情報参照装置５００は、読影医からの操作を受け付けて読影レポート作成の支援を行う（ステップＳ１２０）。具体的には、医用情報参照装置５００は、ステップＳ１１０において医用情報保管装置４００が保管した医用情報を記憶回路１３２から取得する。医用情報参照装置５００は、医用情報参照装置５００の有する表示装置に、例えば図４のような画面を表示させ、読影医からの操作の入力を受け付ける。この際、例えば、医用情報参照装置５００は、医用情報保管装置４００が保管した医用情報と、読影医が生成した読影レポート本文１１中の所定の文字列とを対応づける。例えば、医用情報参照装置５００は、医用情報と、読影レポート本文１１中の所定の文字列とを対応づけ、ハイパーリンク１２ａ〜１２ｃを生成する。ユーザが例えばハイパーリンク１２ａをクリックすると、ハイパーリンク１２ａに対応する医用情報である「Ｘ１検査の医用画像」が画面に表示される。
【００３８】
続いて、医用情報参照装置５００は、症例を取得する（ステップＳ１３０）。具体的には、医用情報参照装置５００は、読影レポートを作成している読影医から症例の入力を受け付け、受け付けた入力を用いて、症例を取得する。例えば、ＣＴスライス画像と、３Ｄ再構成データを確認した読影医が、症例を、「冠動脈プラークによる心筋動作異常」であると判断すると、読影医は、医用情報参照装置５００が有する入力装置を通じて、症例が、「冠動脈プラークによる心筋動作異常」であると入力する。医用情報参照装置５００は、受け付けられた入力結果に基づいて、以降の処理を行う。
【００３９】
なお、症例「冠動脈プラークによる心筋動作異常」が、例えば読影医によって人力入力される例について説明したが、実施形態はこれに限られない。例えば、処理回路１５０が、医用画像の値などを自動的に読みとり、例えば症例を自動的に決定してもよい。
【００４０】
続いて、医用情報参照装置５００が、ステップＳ１３０において症例を取得すると、取得した症例の情報を医用情報保管装置４００に送信する。医用情報参照装置５００から症例の情報を受信した医用情報保管装置４００の処理回路１５０は、同じ症例を説明する複数の検査結果情報を、例えば図３において示されているように、抽出する（ステップＳ１４０）。例えば、処理回路１５０は、症例「冠動脈プラークによる心筋動作異常」と、医用情報「ＣＴスライス画像（胸部・心筋プロトコル）」とで特徴づけられる第１の検査結果情報と、症例「冠動脈プラークによる心筋動作異常」と、医用情報「３Ｄ再構成データ」とで特徴づけられる第２の検査結果情報とを抽出する。
【００４１】
続いて、処理回路１５０は、特定機能１５０ａにより、検査結果の理解のし易さを表す情報に基づいて、同じ症例を説明する複数の検査結果情報の中から、他の検査結果情報と比較して患者への説明に要する時間が短くなる検査結果情報を特定する。ここで、「検査結果の理解のし易さを表す情報」の一例は、例えば一つの２ＤスライスのＣＴ画像か、それとも３Ｄ再構成データであるかといった、撮像のプロトコルに関する情報である。例えば、所定の２Ｄスライスの断面よりも、３Ｄ再構成データのほうが直感的に理解しやすいので、３Ｄ再構成データのほうが、２Ｄスライス画像より、検査結果の理解がしやすくなる。また、「検査結果の理解のし易さを表す情報」の一例は、例えば、モダリティの違いを表す情報である。例えば、ＭＲＩにおけるＴ２強調画像は、Ｘ線ＣＴ画像に比べ、画像が生成されるしくみを理解するのが難解なので、検査結果を理解するのが難しくなる。また、これらの「検査結果の理解のし易さを表す情報」は、例えば、検査ごとにあらかじめプリセットされたパラメータ値であってもよい。
【００４２】
例えば、図３の例では、「ＣＴスライス画像（胸部・心筋プロトコル）」と、「３Ｄ再構成データ」を比較すると、３Ｄ再構成データのほうが検査結果の理解が容易なので、処理回路１５０は、特定機能１５０ａにより、同じ症例を説明する複数の検査結果情報の中から、症例「冠動脈プラークによる心筋動作異常」と、医用情報「３Ｄ再構成データ」とで特徴づけられる検査結果情報を、症例「冠動脈プラークによる心筋動作異常」と、医用情報「ＣＴスライス画像（胸部・心筋プロトコル）」と比較して、患者への説明に要する時間が短くなる検査結果情報であると特定する。
【００４３】
続いて、処理回路１５０は、通知機能１５０ｂにより、特定した検査結果情報を、表示部に通知する（ステップＳ２００）。処理回路１５０は、通知機能１５０ｂにより、ステップＳ２００で通知した情報に基づいて、表示部に表示処理を行わせる（ステップＳ２１０）。この表示処理の具体例としては、例えば、特定した検査結果情報を、他の検査結果情報と異なった色で表示させる、ソートして一覧表示する、等が考えられる。これらの点の詳細については後述の実施形態で説明する。表示部の構成の一例としては、例えば医用情報参照装置５００に備えられた表示装置（図示されていない）が挙げられる。また、表示部の構成の別の一例としては、例えば医用情報保管装置４００中の表示装置１３５が挙げられる。また、表示部の構成の別の一例としては、医用情報保管装置４００とネットワークで接続された表示装置が挙げられる。
【００４４】
このように、第１の実施形態においては、処理回路１５０は、同じ症例を説明する複数の検査結果情報の中から、他の検査結果情報と比較して患者への説明に要する時間が短くなる検査結果情報を特定し、特定した情報に基づいて、表示処理を表示装置に行わせる。これにより、説明時間が短く済む検査結果情報を用いてユーザが患者に説明を行うことができ、利便性が向上する。
【００４５】
（第２の実施形態）
第１の実施形態においては、処理回路１５０が、同じ症例を説明する複数の検査結果情報の中から、短い時間で説明可能な検査結果情報を特定する場合について説明した。第２の実施形態においては、これに加えて、処理回路１５０が、患者に検査結果を説明するのに必要な処理を、所定の方法で算出する。
【００４６】
かかる処理について、図６〜１１を用いて説明する。図６〜図１０は、第２の実施形態に係る患者説明支援装置の行う処理について説明した図である。図１１は、第２の実施形態に係る患者説明支援装置の行う処理の手順を示したフローチャートである。
【００４７】
図６は、読影レポートに記述された症例と、患者への説明に要する時間（患者説明時間）との対応関係について説明した図である。例えば、図６に記載されたリストにおいては、読影レポートに記述された症例が「胆石による炎症」である場合、患者説明時間として設定されているデフォルト値（初期値）は、「４分」となる。また、読影レポートに記述された症例が「冠動脈プラークによる心筋動作異常」である、患者説明時間として設定されているデフォルト値（初期値）は、「３分」となる。補足情報保管機能１３２ｃにより、記憶回路１３２は、例えば、読影レポートに記述された症例と、患者説明時間との組のリストを、所定の記憶媒体に記憶する。処理回路１５０は、必要に応じて、記憶回路１３２に記憶された読影レポートに記述された症例と、患者説明時間との組のリストを、記憶回路１３２から取得する。
【００４８】
図７は、読影レポートに記述された症例と、医用情報との組み合わせから、処理回路１５０が、第１算出機能１５０ｃにより、患者説明時間を算出する手順について説明するための図である。図７において、「症例」は、読影レポートに記述された症例を示す。また、「医用情報」は、どのようなモダリティで撮影されたか等、医用情報の種類を表す。「患者説明の重要度」とは、患者説明の重要度のランク付けを示す。例えば、患者説明の重要度が「Ａ」の場合、患者説明が必須な情報であり、説明を怠ると訴訟の対象となりうる情報であることを意味する。また、患者説明の重要度が「Ｂ」の場合、患者説明が重要な情報であり、治療方針の根拠となりうる情報であることを意味する。また、患者説明の重要度が「Ｃ」の場合、患者説明が好ましい情報であり、患者の理解を補助する情報となりうる情報であることを意味する。
【００４９】
また、「説明理由」は、その項目を患者に説明する理由を示している。また、「患者説明時間」は、後述するように、処理回路１５０が、第１算出機能１５０ｃ及び第２算出機能１５０ｄにより算出する、患者説明時間の値を示す。
【００５０】
例えば、「症例」が、「胆石による炎症」であり、「医用情報」が、「超音波診断装置（胆嚢部）」である場合を考える。この場合、「患者説明の重要度」は、「Ａ」となる。また、「説明理由」は、「症例の原因」となる。また、「患者説明時間」は、「１０分」となる。また、「症例」が、「胆石による炎症」であり、「医用情報」が、「血液検査」である場合を考える。この場合、「患者説明の重要度」は、「Ｂ」となる。また、「説明理由」は、「治療方針」となる。また、「患者説明時間」は、「１分」となる。例えば、「症例」が、「冠動脈プラークによる心筋動作異常」であり、「医用情報」が、「ＣＴスライス画像（胸部・心筋プロトコル）」である場合を考える。この場合、「患者説明の重要度」は、「Ａ」となる。また、「説明理由」は、「症例の原因」となる。また、「患者説明時間」は、「１０分」となる。また、「症例」が、「冠動脈プラークによる心筋動作異常」であり、「医用情報」が、「３Ｄ再構成データ」である場合を考える。この場合、「患者説明の重要度」は、「Ａ」となる。また、「説明理由」は、「治療方針」となる。また、「患者説明時間」は、「２分」となる。
【００５１】
記憶回路１３２は、補足情報保管機能１３２ｃにより、例えば、「症例」と「医用情報」と「患者説明時間」を一つの組として、複数の組からなるリストを記憶する。例えば、「胆石による炎症」、「超音波診断装置（胆嚢部）」、「１０分」が、記憶回路１３２が記憶する一つの組のデータとなる。また、例えば、「胆石による炎症」、「血液検査結果」、「１分」が、記憶回路１３２が記憶する一つの組のデータとなる。また、例えば、記憶回路１３２は、補足情報保管機能１３２ｃにより、例えば、「症例」と「医用情報」と「患者説明の重要度」を一つの組として、複数の組からなるリストを記憶してもよい。
【００５２】
処理回路１５０は、必要に応じて、「症例」と「医用情報」と「患者説明時間」を一つの組として、複数の組からなるリストに対して、例えば、「症例」と「医用情報」をキーにして、「患者説明時間」の値を取得する。例えば、処理回路１５０は、「症例」が「胆石による炎症」、「医用情報」が、「超音波診断画像（胆嚢部）」である場合、「患者説明時間」の値「１０分」を、記憶回路１３２が記憶するデータベースに基づいて取得する。また、同様に、例えば、処理回路１５０は、「症例」が「胆石による炎症」、「医用情報」が、「血液検査結果」である場合、「患者説明重要度」の値「Ｂ」を、記憶回路１３２が記憶するデータベースに基づいて取得する。
【００５３】
上記の例では、「症例」と「医用情報」の与えられた組に対して、「患者説明時間」の値が定められている場合について説明したが、実施形態はこれに限られない。例えば、「症例」と「医用情報」それぞれについて、「患者説明時間」の値が定められていてもよい。例えば、「胆石による炎症」に対する「患者説明時間」が「６分」であり、「超音波診断装置（胆嚢部）」に対する「患者説明時間」が「＋４分」であり、「血液検査」に対する「患者説明時間」が「１分」のように定められていても良い。この場合、例えば、「症例」が「胆石による炎症」であり、「医用情報」が、「超音波診断装置（胆嚢部）」である場合、「患者説明時間」は、６分＋４分＝１０分となる。また、「症例」が「胆石による炎症」であり、「医用情報」が、「血液検査」である場合、「患者説明時間」は、症例によらず１分となる。
【００５４】
図８は、説明を行う対象の患者の状態を表す情報等に基づいて、処理回路１５０が行う、患者説明時間及び患者説明重要度の補正について示した図である。図８において、「医用情報」については、図７等と同様に、どのようなモダリティで撮影されたか等、例えば処理回路１５０が取得した医用情報の種類を表す。また、「補正理由」は、処理回路１５０が、第３算出機能１５０ｅにより、患者説明時間及び患者説明重要度の補正を行う理由について示したものである。「患者説明重要補正」は、処理回路１５０が算出した、患者説明重要度の補正量を示す。また、「患者説明時間補正」は、処理回路１５０が第３算出機能１５０ｅにより算出した、患者説明時間の補正量を表す。
【００５５】
また、ここで補正理由としては、例えば、付随情報・進行度・治療方針などが挙げられる。ここで、補正理由が「付随情報」である場合の例を説明すると、例えば、超音波診断画像は、学習した技師や医師意外にはわかりづらい。しかしながら、異常個所をマーキングするアノテーションや、どの部位をどの方向から撮影したのかわかるための、部位シェーマ／撮像方向参考画像等、付随情報がある場合、患者の理解が促進されるので、患者説明時間を低減することが可能になる。従って、付随情報がある場合、患者説明時間が補正される。また、補正理由が進行度である場合の例を説明すると、例えば、病状が重篤な場合は、より詳しく病状について説明する必要があるので、患者説明時間は増大する。従って、病気の進行度に応じて、患者説明時間が補正される。また、病状が同じでも、治療方針が異なると、患者説明時間は異なるので、治療方針に応じて、患者説明時間が補正される。例えば、血液検査結果としては、血中の炎症反応により治療の必要性が異なる。治療が不要な場合には、その旨を患者に伝えるのみである一方、治療が必要な場合には、治療が必要な旨と、炎症な必要な旨と、炎症を抑えるために投与する薬品の説明を実施するため、重要度と説明時間が増大する。
【００５６】
図８において、医用情報が「超音波診断装置（胆嚢部）」であり、補正理由が「アノテーション」である場合、すなわち、超音波診断画像にアノテーションがある場合、患者の理解が促進される。従って、患者説明時間補正は、−２分となる。一方、アノテーションの有無は、患者説明の重要度に影響を与えないので、患者説明重要度補正は０となる。また、医用情報が「超音波診断装置（胆嚢部）」であり、補正理由が「部位／撮影方向参考画像」である場合、すなわち超音波診断画像に部位シェーマ／撮像方向参考画像がある場合、患者の理解が促進される。従って、患者説明時間補正は、−４分となる。一方、アノテーションの有無は、患者説明の重要度に影響を与えないので、患者説明重要度補正は０となる。
【００５７】
以上の結果より、医用情報が「超音波診断装置（胆嚢部）」であった場合、患者説明重要度補正は、アノテーションによっても、部位シェーマ／撮像方向参考画像によっても影響を受けないので、トータルの患者説明重要度補正は０となる。一方、患者説明時間補正は、アノテーションの存在によって、−２分の補正が行われ、部位シェーマ／撮像方向参考画像の存在によって、−４分の補正が行われるので、トータルの患者説明時間補正はー６分となる。
【００５８】
また、医用情報が「血液検査結果」であり、補正理由が「要治療」である場合、要治療であるから、結果が異状なしの場合に比較して、患者説明時間は増大する。従って、患者説明時間補正は、＋５分となる。また、病状が要治療であることから、患者説明の重要度が増大する。従って、患者説明重要度補正は、＋１となる。ここで＋１とは、ランクを一段階上のランクに挙げる補正を意味する。具体的には、補正前にＣランクであったものは、＋１の補正後にはＢランクになり、また補正前にＢランクであったものは、＋１の補正後にはＡランクとなる。また、＋２の補正の場合、補正前にＣランクであったものは、＋２の補正後にはＡランクとなる。
【００５９】
以上の結果より、医用情報が「血液検査」であった場合、患者説明重要度補正は＋１となり、患者説明時間補正は、＋５分となる。
【００６０】
また、医用情報が「ＣＴスライス画像（胸部・心筋プロトコル）」であり、補正理由が「アノテーション」である場合、すんわち、ＣＴスライス画像にアノテーションがある場合、患者の理解が促進される。従って、患者説明時間補正は、−２分となる。一方、アノテーションの有無は、患者説明の重要度に影響を与えないので、患者説明重要度補正は０となる。
【００６１】
また、医用情報が「胸部ＣＲ画像（胸部・肺がん）」であり、補正理由が「重篤」である場合、重篤であることから、患者説明の重要度は非常に増大する。従って、患者説明重要度補正は、＋２となる。一方、病状が重篤な場合、病気が初期のステージにある場合と比較すると、胸部ＣＲ画像に異常所見がはっきりと表れるため、患者説明時間は短くなる。従って、患者説明時間補正は、−５分となる。
【００６２】
加えて、例えば末期のがんなどの場合、病状の説明に加えて、患者を精神的に励ます必要が出てくることから、そのために時間を必要とする。従って、このケースを、医用情報が「ＮＡ」、補正理由が「重篤」、患者説明重要度補正が０、患者説明時間補正が「＋３０分」であるとして処理する。医用情報が「ＮＡ」の場合、もともとの患者説明時間補正は０分であるから、患者説明時間補正が「＋３０分」の場合、実際の患者説明は３０分となる。
【００６３】
記憶回路１３２は、補足情報保管機能１３２ｃにより、例えば、「医用情報」と「補正理由」と「患者説明重要度補正」と「患者説明時間補正」とを一つの組として、複数の組からなるリストを記憶する。例えば、「超音波診断画像（胆嚢部）」「アノテーション」「０」「−２分」が、記憶回路１３２が記憶する一つの組のデータとなる。また、記憶回路１３２は、「患者説明重要度補正」を含むデータと、「患者説明時間補正」を含むデータとを、別々に補正してもよい。この場合、記憶回路１３２は、例えば、「医用情報」と「補正理由」と「患者説明重要度補正」とを一つの組として、複数の組からなるリストを記憶する。また、同時に、記憶回路１３２は、例えば、「医用情報」と「補正理由」と「患者説明時間補正」とを一つの組として、複数の組からなるリストを記憶する。
【００６４】
処理回路１５０は、必要に応じて、「医用情報」と「補正理由」と「患者説明重要度補正」と「患者説明時間補正」とを一つの組として、複数の組からなるリストに対して、例えば、「医用情報」と「補正理由」とをキーにして、「患者説明重要度補正」の値を取得する。また、同様に、処理回路１５０は、「医用情報」と、「補正理由」とをキーにして、「患者説明時間補正」の値を取得する。例えば、処理回路１５０は、「医用情報」が、「超音波診断画像（胆嚢部）」、「補正理由」が「アノテーション」である場合、「患者説明重要度補正」の値「０」を、記憶回路１３２が記憶するデータベースに基づいて取得する。また、例えば、処理回路１５０は、「医用情報」が、「超音波診断画像（胆嚢部）」、「補正理由」が「アノテーション」である場合、「患者説明時間補正」の値「−２分」を、記憶回路１３２が記憶するデータベースに基づいて取得する。
【００６５】
図９は、各医用情報と、各医用情報の状態情報（前述の重要度・説明時間の補正に利用する付随情報の有無等に関する情報）の関係を示したものである。図９において、「医用情報」は、同様に、医用情報の種類について示す。また、「付随情報」は、各医用情報に付随する付随情報の種類について表す。また、図９の「あり・なし」は、各医用情報に付随する付随情報が、患者に利用可能か（患者に閲覧可能に準備されているか）否かを管理するフラグを示す。例えば、医用情報が「超音波画像（胆嚢部）」、付随情報が「アノテーション」、あり・なしが「あり」の場合、読影レポートにおける「超音波画像(胆嚢部)」に対して、アノテーションが利用可能であることを意味する。また、例えば、医用情報が「超音波画像（胆嚢部）」、付随情報が「部位シェーマ、撮像方向参考画像」、あり・なしが「なし」の場合、読影レポートにおける「超音波画像(胆嚢部)」に対して、部位シェーマ、撮像方向参考画像が利用可能でないことを意味する。また、例えば、医用情報が「血液検査結果」、付随情報が「補足資料」、あり・なしが「あり」の場合、読影レポートにおける「血液検査結果」に対して、アノテーションが利用可能であることを意味する。同様にして、これらの情報は、必要に応じて記憶回路１３２に記憶される。
【００６６】
図１０は、図７のデータに対して、図８に示される、患者説明重要度補正、患者説明時間補正を行って、患者説明重要度、患者説明時間の補正を行った結果を示している。図１０において、「読影レポートに付帯する医用情報」、「説明理由」は、それぞれ、医用情報、説明理由を表している。また、「患者説明重要度」、「患者説明時間」は、それぞれ、補正後の患者説明重要度、補正後の患者説明時間を表している。
【００６７】
図１０においては、「症例」が「胆石による炎症」である場合について説明する。まず、図１０において、「読影レポートに付帯する医用情報」が「超音波診断画像（胆嚢部）であり、「説明理由」が、「症例の原因」である場合について説明する。図７を参照すると、「症例」が「胆石による炎症」であり、「医用情報」が「超音波診断画像（胆嚢部）」である場合には、「患者説明の重要度」は「Ａ」であり、「患者説明時間」は「１０分」となる。従って、この場合、補正前の患者説明の重要度はＡであり、補正前の患者説明時間は１０分となる。
【００６８】
次に、図８を参照すると、「医用情報」が「超音波診断装置（胆嚢部）」である場合、補正理由「アノテーション」に対しては、「患者説明重要度補正」は、「０」、「患者説明時間補正」は、「−２分」であり、補正理由「部位シェーマ／撮像方向参考画像」に対しては、「患者説明重要度補正」は、「０」、「患者説明時間補正」は、「−４分」である。従って、これら二つの補正理由を合計すると、「医用情報」が「超音波診断装置（胆嚢部）」である場合、トータルでの患者説明重要度補正は０であり、トータルでの患者説明時間補正は−６分となる。
【００６９】
従って、「医用情報」が「超音波診断画像（胆嚢部）」である場合、図７を参照すると、補正前の患者説明重要度は「Ａ」であり、図８より、患者説明重要度補正は０であるので、補正後の患者説明重要度は「Ａ」となる。また、図７を参照すると、補正前の患者説明時間は「１０分」であり、図８より、患者説明時間補正は−６分であるので、補正後の患者説明時間は、「１０分−６分＝４分」となる。
【００７０】
同様に、図１０において、「読影レポートに付帯する医用情報」が「血液検査結果（Ａ）要治療」であり、「説明理由」が、「治療方針」である場合について説明する。図７を参照すると、「症例」が「胆石による炎症」であり、「医用情報」が「血液検査結果（Ａ）」である場合には、「患者説明の重要度」は「Ｂ」であり、「患者説明時間」は「１分」となる。従って、この場合、補正前の患者説明の重要度はＢであり、補正前の患者説明時間は１分となる。
【００７１】
次に、図８を参照すると、「医用情報」が「血液検査結果（Ａ）」である場合、補正理由「要治療」に対しては、「患者説明重要度補正」は、「＋１」、「患者説明時間補正」は、「＋５分」である。
【００７２】
従って、「医用情報」が「血液検査結果（Ａ）  要治療」である場合、図７を参照すると、補正前の患者説明重要度は「Ｂ」であり、図８より、患者説明重要度補正は＋１であるので、補正後の患者説明重要度は「Ａ」となる。また、図７を参照すると、補正前の患者説明時間は「１分」であり、図８より、患者説明時間補正は＋５分であるので、補正後の患者説明時間は、「１分＋５分＝６分」となる。
【００７３】
図１１は、第２の実施形態に係る患者説明支援装置の行う処理の手順を示したフローチャートである。ステップＳ１００〜ステップＳ１５０の処理については、第１の実施形態において図５で説明したのと同様の処理であるから、説明は省略する。
【００７４】
処理回路１５０は、第１算出機能１５０ｃにより、複数の検査結果それぞれに対して、患者に検査結果を説明するのに必要と推定される時間である第１の時間を算出する（ステップＳ１６０）。換言すると、処理回路１５０は、ステップＳ１２０で生成された読影レポートの結論、すなわちステップＳ１３０で取得した症例に基づいて、症例そのものに対する患者説明時間（第１の時間）を算出する。例えば、図６、図７の例で説明すると、処理回路１５０は、症例が「胆石による炎症」、医用情報が「超音波診断画像（胆嚢部）」で特定される検査結果情報に対して、患者に検査結果を説明するのに必要と推定される時間である第１の時間を、図６に示されるように、「４分」と算出する。また、処理回路１５０は、症例が「胆石による炎症」、医用情報が「血液検査結果（Ａ）」で特定される検査結果情報に対して、患者に検査結果を説明するのに必要と推定される時間である第１の時間を、図６に示されるように、「４分」と算出する。また、処理回路１５０は、症例が「冠動脈プラークによる心筋動作異常」、医用情報が「ＣＴスライス画像（胸部・心筋プロトコル）」（又は「３Ｄ再構成データ」）で特定される検査結果情報に対して、患者に検査結果を説明するのに必要と推定される時間である第１の時間を、図６に示されるように、「３分」と算出する。ステップＳ１６０において、処理回路１５０は、例えば記憶回路１３２に記憶されている所定のデータを取得し、取得したデータに基づいて、第１の時間を算出する。
【００７５】
続いて、処理回路１５０は、第１算出機能１５０ｃにより、複数の検査結果それぞれに対して、検査結果の重要度を表す第１の情報を更に算出する（ステップＳ１７０）。例えば、図７の例で説明すると、処理回路１５０は、症例が「胆石による炎症」、医用情報が「超音波診断画像（胆嚢部）」で特徴づけられる検査結果情報に対して、検査結果の重要度を表す第１の情報（患者説明の重要度）を、「Ａ」と算出する。また、処理回路１５０は、症例が「胆石による炎症」、医用情報が「血液検査結果（Ａ）」で特徴づけられる検査結果情報に対して、検査結果の重要度を表す第１の情報（患者説明の重要度）を、「Ｂ」と算出する。また、処理回路１５０は、症例が「超動脈プラークによる心筋動作異常」、医用情報が「ＣＴスライス画像（胸部・心筋プロトコル）」（又は「３Ｄ再構成データ」）で特徴づけられる検査結果情報に対して、検査結果の重要度を表す第１の情報を、「Ａ」と算出する。処理回路１５０は、例えば記憶回路１３２に記憶されている、症例、医用条及び検査結果の重要度が一つの組になっている所定のデータを取得し、取得したデータに基づいて、第１の時間を算出する。
【００７６】
続いて、第２算出機能１５０ｄにより、処理回路１５０は、第１算出部が算出した第１の時間に対して、検査結果情報の理解のし易さを表す情報に基づいて補正を行って第２の時間を算出する（ステップＳ１８０）。ここで、「検査結果情報の理解のし易さを表す情報」とは、例えば、図７の表の「医用情報」の欄に記載された情報（以下、情報Ａ）や、例えば、図８の表の「補正理由」の欄に記載された情報のうち、アノテーションの有無や、部位シェーマ／撮像方向参考画像の有無を表す情報（以下、情報Ｂ）である。処理回路１５０は、第１算出部が算出した第１の時間に対して、検査結果情報の理解のし易さを表す情報として、例えば、情報Ａと情報Ｂのうちの一方、又は両方に基づいて補正を行って、第２の時間を算出する。
【００７７】
まず、処理回路１５０が、第１算出部が算出した第１の時間に対して、情報Ａに基づいて補正を行って、第２の時間を算出する場合について説明する。例えば、処理回路１５０は、症例が「胆石による炎症」、医用情報が「超音波診断画像（胆嚢部）」で特徴づけられる検査結果情報に対して、ステップＳ１６０で算出された第１の時間（４分）に対して、検査結果上の理解のし易さを表す情報である、「超音波診断画像（胆嚢部）」に係る医用画像である旨の情報に基づいて補正を行って、第２の時間を、「１０分」と算出する。算出された第２の時間は、図７に患者説明時間として記載されている。また、処理回路１５０は、症例が「胆石による炎症」、医用情報が「血液検査結果（Ａ）」で特徴づけられる検査結果情報に対して、ステップ１６０で算出された第１の時間（４分）に対して、検査結果上の理解のし易さを表す情報である、「血液検査結果」に係る医用画像である情報に基づいて補正を行って、第２の時間を、「１分」と算出する。
【００７８】
また、処理回路１５０は、症例が「冠動脈プラークによる心筋動作異常」、医用情報が「ＣＴスライス画像（胸部・心筋プロトコル）」で特徴つけられる検査結果情報に対して、ステップＳ１６０で算出された第１の時間（３分）に対して、検査結果上の理解のし易さを表す情報である、「ＣＴスライス画像（胸部・心筋プロトコル）」に係る医用画像である旨の情報に基づいて補正を行って、第２の時間を「１０分」と算出する。また、処理回路１５０は、症例が「冠動脈プラークによる心筋動作異常」、医用情報が「３Ｄ再構成データ」で特徴つけられる検査結果情報に対して、ステップＳ１６０で算出された第１の時間（３分）に対して、検査結果上の理解のし易さを表す情報である、「３Ｄ再構成データ」に係る医用画像である旨の情報に基づいて補正を行って、第２の時間を「２分」と算出する。
【００７９】
一例として、処理回路１５０は、第２の時間を、データベースを用いずに所定の計算式を用いて第１の時間から算出しても良い。また別の例として、記憶回路１３２が、「症例」、「医用情報」、第２の時間である「患者説明時間」を一組としてデータのリストを記憶し、処理回路１５０が必要に応じて記憶回路１３２から記憶したデータをロードすることにより、第２の時間を算出しても良い。
【００８０】
かかる処理が完了すると、例えば図７のケースでは、胆石による炎症を確定するための検査として、胆嚢部の超音波画像診断と、炎症反応を確認するための血液検査が実施され、ステップＳ１２０の処理の結果として、それらの検査結果が読影レポートに付着された状態となっている。ここで、例えば胆嚢部の超音波診断結果画像の患者説明重要度はＡ、患者説明時間は１０分、血液検査の患者説明重要度はＢ、患者説明時間は１分となる。
【００８１】
次に、処理回路１５０が、第１算出部が算出した第１の時間に対して、情報Ａに基づいて補正を行なったあと、さらに情報Ｂに基づいて補正を行って、第２の時間を算出する場合について説明する。
【００８２】
医用情報が「超音波診断画像（胆嚢部）」であり、補正理由が「アノテーション」である場合、図８の表より読み取れるように、「患者説明時間補正」は、「−２分」となる。処理回路１５０は、第１算出部が算出した第１の時間に対して、情報Ａに基づいて補正を行った後、情報Ｂ（アノテーションの有無や、部位シェーマ／撮像方向参考画像の有無を表すタイプの情報）に属する情報「アノテーション有り」に基づいて補正を行って、第２の時間を算出する。例えば、症例が「胆石による炎症」であり、医用情報が「超音波診断装置（胆嚢部）」である場合、情報Ａに基づいて行った後の患者説明時間は、図７に示されているように、１０分となる。加えて、処理回路１５０は、さらに情報Ｂに属する情報「アノテーション有り」に基づいて補正を行う。具体的には、図８の表に示されているように、患者説明時間補正は-２分となる。処理回路１５０は、情報Ｂに属する情報「アノテーションあり」に基づいて補正をさらに行った後の患者説明時間、すなわち第２の時間を「１０分―２分＝８分」と算出する。
【００８３】
さらに、例えば、処理回路１５０は、情報Ｂに属する情報「部位シェーマ／撮像方向参考画像有り」に基づいて、更に、患者説明時間の補正を行っても良い。この場合、図８の表に示されているように、患者説明時間補正は-4分となる。従って、処理回路１５０は、情報Ｂに属する情報「部位シェーマ／撮像方向参考画像」に基づいて補正をさらに行った後の患者説明時間を、「８分−４分＝４分」と算出する。この結果は、例えば図１０に表示されている。
【００８４】
続いて、第３算出機能１５０ｅにより、処理回路１５０は、ステップＳ１８０において第２算出機能１５０ｄにより算出された第２の時間に対して、説明を行う対象の患者の状態を表す情報（患者の年齢、病歴、病気の進行度、治療段階、治療方針、付添人の有無等）に基づいて補正を行って第３の時間を算出する（ステップＳ１９０）。
【００８５】
ここで、「説明を行う対象の患者の状態を表す情報」の具体例としては、例えば、図８の補正理由の欄に示されている記載のうち、例えば「要治療」「重篤」などの情報が挙げられる。
【００８６】
例えば、図７に挙げられているように、症例が「胆石による炎症」であり、医用情報が「血液検査結果（Ａ）」である場合、ステップＳ１８０における補正後の時間（第２の時間）は、表より読み取れるように、１分となる。第３算出機能１５０ｅにより、処理回路１５０は、ステップＳ１８０において算出された第２の時間「１分」に対して、説明を行う対象の患者の状態を表す情報である「要治療」を用いて補正を行って第３の時間を算出する。図８の表より読み取れるように、医用情報が「血液検査結果（Ａ）」であり、補正理由が「要治療」である場合の患者説明時間補正は＋５分であるから、処理回路１５０は、さらなる補正後の患者説明時間（第３の時間）を、「１分＋５分＝６分」と算出する。この結果は、例えば図１０に表示されている。
【００８７】
また、このステップにおいて、処理回路１５０は、ステップＳ１７０において第１算出機能１５０ｃにより算出された第１の情報（検査結果の重要度を表す情報）に対して補正を行っても良い。例えば、図７に挙げられているように、症例が「胆石による炎症」であり、医用情報が「血液検査結果（Ａ）」である場合、ステップＳ１７０における第１の情報（検査結果の重要度を表す情報）は、表より読み取れるように、「Ｂ」となる。第３算出機能１５０ｅにより、処理回路１５０は、ステップＳ１７０において産出された第１の情報「Ｂ」に対して、説明を行う対象の患者の状態を表す情報である「要治療」を用いて補正を行って補正後の検査結果の重要度を表す情報を算出する。図８の表より読み取れるように、医用情報が「血液検査結果（Ａ）」であり、補正理由が「要治療」である場合の患者説明重要度補正は＋１であるから、処理回路１５０は、補正後の患者説明重要度を、「Ｂ」から一段階上げて、「Ａ」と算出する。この結果は、例えば図１０に表示されている。
【００８８】
これらの患者説明時間の算出がステップＳ１９０までで完了すると、続いて、処理回路１５０は、読影レポートに対するトータルの説明時間を算出する。図１０の例では、読影レポートに付帯する医用情報が「超音波診断画像（胆嚢部）」である場合、補正後の患者説明時間の算出は、ステップＳ１８０までで完了し、患者説明時間は、４分となる。また、読影レポートに付帯する医用情報が「血液検査結果（Ａ）要治療」の場合、補正後の患者説明時間の算出は、ステップＳ１９０で行われ、患者説明時間は、６分となる。また、読影レポートそのものを説明するのにも、例えば４分程度時間を要する。以上より、処理回路１５０は、読影レポートに対する説明時間の積算値を、４分＋６分＋４分＝１４分と算出する。
【００８９】
これらの処理が完了すると、処理回路１５０は、通知機能１５０ｂにより、ステップＳ１５０において特定機能１５０ａにより特定した検査結果情報を、表示部に通知する（ステップＳ２００）。また、処理回路１５０は、通知機能１５０ｂにより、ステップＳ１９０において第３算出機能１５０ｅにより算出した第３の時間を、表示部に通知する。また、処理回路１５０は、通知機能１５０ｂにより、ステップＳ１８０において第２算出機能１５０ｄにより算出した第２の時間を、表示部に通知してもよい。また、処理回路１５０は、ステップＳ１７０において第１算出機能１５０ｃにより算出した第１の情報を、表示部に通知してもよい。
【００９０】
続いて、処理回路１５０は、通知機能１５０ｂにより、表示装置に表示処理を行わせる。この処理のバリエーションは、第３〜第５の実施形態において詳述する。表示部の構成の一例としては、例えば医用情報参照装置５００に備えられた表示装置（図示されていない）が挙げられる。また、表示部の構成の別の一例としては、例えば医用情報保管装置４００中の表示装置１３５が挙げられる。また、表示部の構成の別の一例としては、医用情報保管装置４００とネットワークで接続された表示装置が挙げられる。
【００９１】
実施形態は、上述の処理に限られない。例えば、ステップＳ１４０〜ステップＳ１５０及びステップＳ１６０〜ステップＳ１９０は互いに独立な処理であり、例えば処理回路１５０は、ステップＳ１４０〜ステップＳ１５０を省略してもよい。また、処理回路１５０は、ステップＳ１９０を省略してもよい。また、例えば処理回路１５０は、ステップＳ１８０及びステップＳ１９０を省略してもよい。また、ステップＳ１４０〜ステップＳ１５０及びステップＳ１６０〜ステップＳ１９０は、図１１に記載された順で実行されることを要しない。例えば、処理回路１５０は、ステップＳ１６０〜ステップＳ１９０の処理を行った後、ステップＳ１４０〜ステップＳ１５０を行っても良い。
【００９２】
また、例えばステップＳ１８０は、省略可能である。この場合、処理回路１５０は、ステップＳ１９０において、第２の時間の代わりに第１の時間に対して、説明を行う対象の患者の状態を表す情報に基づいて補正を行って第３の時間を算出する。この場合、さらに、処理回路１５０は、ステップＳ１９０の処理を行った後、ステップＳ１８０に相当する処理を行っても良い。
【００９３】
以上のように、第２の実施形態では、処理回路１５０が、更に複数の結果情報それぞれに対して、患者に検査結果を説明するのに必要な時間を算出する。これにより、ユーザは、患者への説明時間について予め予測を立てることができ、利便性が向上する。
【００９４】
（第３の実施形態）
第３〜第５の実施形態では、第１及び第２の実施形態において処理回路１５０が特定あるいは算出した情報を表示する方法について説明する。すなわち、第３〜第５の実施形態は、図１１におけるステップＳ２１０における様々なバリエーションに対応する。
【００９５】
図１２は、第３の実施形態に係る患者説明支援装置における表示画面の一例について説明した図である。図１２は、読影レポートが表示されている。また、表示されている読影レポートには、「Ｘ１検査」、「Ｘ２方式による３Ｄ再構成データ」、「Ｘ３検査」等の単語に対して、ハイパーリンクが生成されている。これらのハイパーリンクは、例えば図５や図１１のステップＳ１２０において、所定の方法で生成される。図１２中の矢印は、マウスカーソルを示している。また、ハイパーリンク「Ｘ１検査」に対しては、「説明に効果的な医用情報があります！  ＣＴスライス画像  予想説明時間：８分」という文字列がポップアップして表示されている。また、ハイパーリンク「Ｘ２方式による３Ｄ再構成データ」に対しては、「３Ｄ  再構成データ  予想説明時間：２分」という文字列がポップアップして表示されている。
【００９６】
図１３は、第３の実施形態に係る患者説明支援装置の行う処理の手順を示したフローチャートである。第３の実施形態では、処理回路１５０が表示部に表示を行わせる以外の処理については、図１１に示す処理と同様の処理を行う。すなわち、第３の実施形態に係る患者説明支援装置は、図１１のステップＳ１００〜ステップＳ２００と同様の処理を行った後、ステップＳ２１１ａ〜ステップＳ２１１ｃの処理を行う。
【００９７】
まずはじめに、臨床医が読影レポートを表示する。図１１のステップＳ１００〜ステップＳ２００に相当する処理を行った後、処理回路１５０は、図１１のステップＳ１８０において算出された第２の時間の長さに基づいてマークアップ条件（マークアップ色等）を決定する（ステップＳ２１１ａ）。例えば、通知機能１５０ｂにより、処理回路１５０は、患者説明時間が長い医用情報と、患者説明時間が短い医用情報とで、異なる色でマークアップがされるよう、表示部としての表示装置に所定の通知を送信する。また、処理回路１５０は、表示部を通じて、ハイパーリングに対するマウスオーバー装置を検知するまで待機する。処理回路１５０は、表示部を通じてハイパーリンクに対するマウスオーバー操作を検知すると(ステップＳ２１１ｂ)、処理回路１５０は、患者説明に要する時間が短い検査結果情報に対して、決定したマークアップ条件に基づきマークアップ条件を行い、それぞれの、医用情報名と説明時間を表示部に表示させる（ステップＳ２１１ｃ）。すなわち、通知機能１５０ｂにより、処理回路１５０は、図１１のステップＳ１５０において特定機能１５０ａが特定した検査結果情報のうち、患者説明に要する時間が短い検査結果情報のハイパーリンクの色を変更して表示部に通知する。処理回路１５０は、例えば図１２に示されているように、症例、患者説明の重要度、説明理由が同一で、より効率的に説明可能な医用情報がある場合、そのハイパーリンク色を変更し、それぞれの、医用情報名と説明時間を表示する。
【００９８】
（第４の実施形態）
第３の実施形態では、ハイパーリンクがマウスオーバーされることで、ハイパーリンク色などが変更される場合について説明した。第４の実施形態では、症例、患者説明の重要度、説明理由が同一で、より効率に説明可能な医用情報がある場合、処理回路１５０が、表示部に対して、あらかじめハイパーリンク色を変更する場合について説明する。また、患者への説明に要する時間が所定の閾値を超える場合、説明しきれない医用情報については、患者への説明を割愛する場合について説明する。
【００９９】
図１４は、第４の実施形態に係る患者説明支援装置における表示画面の一例について説明した図である。図１４では、図１２と同様に、ハイパーリンクが読影レポート上に生成されているが、ハイパーリンク色は、マウスオーバー処理の有無にかかわらず、あらかじめ決定され変更されている。
【０１００】
図１５は、第４の実施形態に係る患者説明支援装置の行う処理の手順を示したフローチャートである。第３の実施形態の場合と同様に、第４の実施形態に係る患者説明支援装置は、図１１のステップＳ１００〜ステップＳ２００と同様の処理を行った後、ステップＳ２１２ａ〜ステップＳ２１２ｄの処理を行う。
【０１０１】
特定機能１５０ａにより、処理回路１５０は、患者への説明に使用可能な時間の上限値に基づいて、複数の検査結果情報の中から、患者への説明を割愛する検査結果情報を特定する（ステップＳ２１２ａ）。また、第２算出機能１５０ｄにより、処理回路１５０は、第２の時間の長さに基づいて、マークアップ条件（マークアップ色等）を決定する（ステップＳ２１２ｂ）。続いて、通知機能１５０ｂにより、処理回路１５０は、患者への説明を割愛する検査結果情報に対するハイパーリンクをオフにして表示部に表示させる。（ステップＳ２１２ｃ）。続いて、表示部は、患者説明に要する時間が短い検査結果情報に対して、決定したマークアップ条件に基づいて、マークアップを行う。例えば、通知機能１５０ｂにより、処理回路１５０は、特定機能１５０ａにより特定された検査結果情報を、第２算出機能１５０ｄにより算出された第２の時間の長さに応じてマークアップをして表示部に通知する。図１４に、例えばこのような例が示されている。図１４の例では、ハイパーリンク「Ｘ１検査」と、ハイパーリンク「Ｘ２方式による３Ｄ再構成データ」が、異なったマークアップ色で表示されている。
【０１０２】
（第５の実施形態）
第３及び第４の実施形態では、処理回路１５０が、ハイパーリンクを通じて表示部に医用情報を表示させる場合について説明した。第５の実施形態では、処理回路１５０が、表示部に種々の医用情報を一覧表示させる場合について説明する。
【０１０３】
図１６は、第５の実施形態に係る患者説明支援装置における表示画面の一例について説明した図である。図１６においては、種々の情報が一覧表示されている。例えば、症例を説明する症例説明時間、付帯情報を説明する時間である付帯医用情報時間、症例説明時間と付帯医用情報時間を併せたトータル予定説明時間が表示されている。また、各医用情報に対して、重要度、患者説明時間が表示されている。また、ユーザがクリック可能なチェックボックスが各医用情報に対して用意されており、ユーザが説明予定な項目が確認できるようになっている。
【０１０４】
図１７は、第５の実施形態に係る患者説明支援装置の行う処理の手順について説明したフローチャートである。これまでの実施形態の場合と同様に、第５の実施形態に係る患者説明支援装置は、図１１のステップＳ１００〜ステップＳ２００と同様の処理を行った後、ステップＳ２１３ａ〜ステップＳ２１３ｇの処理を行う。
【０１０５】
処理回路１５０は、表示部に患者説明準備画面を表示させる（ステップＳ２１３ａ）。通知機能１５０ｂにより、処理回路１５０は、特定機能１５０ａにより特定された検査結果情報（医用情報、説明理由）と、第１算出機能１５０ｃにより算出された第１の情報（検査結果の重要度）と、第２算出機能１５０ｄにより算出された第２の時間（補正後の患者説明時間）とを、表示部に一覧表示させる（ステップＳ２１３ｂ）。続いて、処理回路１５０は、説明理由でグルーピングする（ステップＳ２１３ｃ）。続いて、処理回路１５０は、検査結果の重要度（第１の情報）及び患者説明時間等に基づいてソートを行って、通知機能１５０ｂにより、特定機能１５０ａにより特定された検査結果情報と、第１算出機能１５０ｃにより算出された第１の情報と、第２算出機能１５０ｄにより算出された第２の時間とを、表示部に一覧表示させる。例えば、処理回路１５０は、医用情報を、「症例の原因」「治療方針」に整理し、それぞれの項目ごとに、重要度の順にソートして、表示部に一覧表示させる。この際、例えば、処理回路１５０は、各項目ごとに、医用情報の種別、説明の重要度、患者説明時間を、表示部に一覧表示させる。（ステップＳ２１３ｄ）。また、処理回路１５０は、説明理由の最上位の医用情報にチェックをつけて表示部に強調表示させる。図１７の例においては、例えば、「説明予定」の項目に、表示されるチェックボックスがこれに該当する。また、通知機能１５０ｂにより、処理回路１５０は、所定の症例に関連した検査結果情報を患者へ説明するのに要する時間の積算値を計算し表示部に通知する。（ステップＳ２１３ｆ）例えば、図１７において、処理回路１５０は、表示部に、検査結果情報を患者へ説明するのに要する時間の積算値として、トータル説明時間「１４分」、を表示する。加えて、処理回路１５０は、患者への説明を実施するにあたっての注意点を更に表示する（ステップＳ２１３ｇ）。
【０１０６】
（プログラム）
上述した実施形態の中で示した処理手順に示された指示は、ソフトウェアであるプログラムに基づいて実行されることが可能である。汎用の計算機システムが、このプログラムを予め記憶しておき、このプログラムを読み込むことにより、上述した実施形態の医用情報保管装置４００による効果と同様な効果を得ることも可能である。上述した実施形態で記述された指示は、コンピュータに実行させることのできるプログラムとして、磁気ディスク（フレキシブルディスク、ハードディスク等）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷ等）、半導体メモリ、又はこれに類する記録媒体に記録される。コンピュータ又は組み込みシステムが読み取り可能な記憶媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態の医用情報保管装置４００と同様な動作を実現することができる。もちろん、コンピュータがプログラムを取得する場合又は読み込む場合はネットワークを通じて取得又は読み込んでもよい。
【０１０７】
また、記憶媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が、上述した実施形態を実現するための各処理の一部を実行してもよい。
【０１０８】
更に、記憶媒体は、コンピュータあるいは組み込みシステムと独立した媒体に限らず、ＬＡＮ（Local  Area  Network）やインターネット等により伝達されたプログラムをダウンロードして記憶又は一時記憶した記憶媒体も含まれる。
【０１０９】
また、記憶媒体は１つに限られず、複数の媒体から、上述した実施形態における処理が実行される場合も、実施形態における記憶媒体に含まれ、媒体の構成は何れの構成であってもよい。
【０１１０】
なお、実施形態におけるコンピュータ又は組み込みシステムは、記憶媒体に記憶されたプログラムに基づき、上述した実施形態における各処理を実行するためのものであって、パソコン、マイコン等の１つからなる装置、複数の装置がネットワーク接続されたシステム等の何れの構成であってもよい。
【０１１１】
また、実施形態におけるコンピュータとは、パソコンに限らず、情報処理機器に含まれる演算処理装置、マイコン等も含み、プログラムによって実施形態における機能を実現することが可能な機器、装置を総称している。
【０１１２】
以上のように、少なくとも一つの実施形態によれば、患者に対する効率的な説明を支援することができる。
【０１１３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１４】
１５０  処理回路
１５０ａ  特定機能
１５０ｂ  通知機能
【図１】
2017187896.tif 000003
【図２】
2017187896.tif 000004
【図３】
2017187896.tif 000005
【図４】
2017187896.tif 000006
【図５】
2017187896.tif 000007
【図６】
2017187896.tif 000008
【図７】
2017187896.tif 000009
【図８】
2017187896.tif 000010
【図９】
2017187896.tif 000011
【図１０】
2017187896.tif 000012
【図１１】
2017187896.tif 000013
【図１２】
2017187896.tif 000014
【図１３】
2017187896.tif 000015
【図１４】
2017187896.tif 000016
【図１５】
2017187896.tif 000017
【図１６】
2017187896.tif 000018
【図１７】
2017187896.tif 000019